(57)【要約】      （修正有）【課題】携帯端末に装着して、携帯端末の背面や側面にある内蔵スピーカーの音響を改善する携帯端末用カバーを提供する。【解決手段】外形が略四角形で所定の厚さを有する携帯端末を覆うカバーに、携帯端末の背面を覆う背面部と、この背面部に連続し携帯端末の周囲側面を覆う側面部と、この側面部に連続し携帯端末の正面の縁を覆う縁部と、携帯端末とカバーとの間に空洞を作ることでスピーカーの音を誘導するために、背面部に形成され携帯端末の背面にあるスピーカー開口部を覆う取込口と、この取込口に連続して側面部に形成される空洞部と、この空洞部に連続して縁部に形成される出口開口とを設ける。【選択図】図１
0003171000.tif 000002
【実用新案登録請求の範囲】
【請求項１】
携帯端末の背面にあるスピーカー開口部を携帯端末用カバーの取込口で覆い、携帯端末との間に作った空洞により、スピーカーの音を出口開口方向に誘導し、出口開口を携帯端末用カバーの正面に設けたことを特徴とする携帯端末用カバー。
【請求項２】
携帯端末の側面にあるスピーカー開口部を携帯端末用カバーの取込口で覆い、携帯端末との間に作った空洞により、スピーカーの音を出口開口方向に誘導し、出口開口を携帯端末用カバーの正面に設けたことを特徴とする携帯端末用カバー。
【請求項３】
携帯端末の背面にあるスピーカー開口部を携帯端末用カバーの取込口で覆い、取込口から出口開口までの間を、周りの部分より薄くすることで携帯端末との間に空洞を作り、スピーカーの音を出口開口方向に誘導し、出口開口を携帯端末用カバーの正面に設けたことを特徴とする携帯端末用カバー。
【請求項４】
携帯端末の側面にあるスピーカー開口部を携帯端末用カバーの取込口で覆い、取込口から出口開口までの間を、周りの部分より薄くすることで携帯端末との間に空洞を作り、スピーカーの音を出口開口方向に誘導し、出口開口を携帯端末用カバーの正面に設けたことを特徴とする携帯端末用カバー。
【考案の詳細な説明】
【技術分野】
【０００１】
本考案は、携帯端末の音響を改善する、携帯端末用カバーに関するものである。
【背景技術】
【０００２】
スピーカー開口部５が、背面または側面にある携帯端末４で使われている従来の携帯端末用カバー１の図９または図１０では、スピーカー開口部５を塞がないように出口開口３が開いているだけなので、スピーカーから発生した音が拡散してしまい、正面に向かう量が少なくなり、音質や音量の低下を招き、聞き取りにくい。
【０００３】
特許文献１に開示されているような、携帯パソコンのバスレフポートの音を取り入れて、音質を改善する携帯パソコン用拡張音響箱が提案されている。
【先行技術文献】
【特許文献】
【０００４】
【特許文献１】特開２０００−５０３７７号公報
【考案の概要】
【考案が解決しようとする課題】
【０００５】
特許文献１の提案で改善される音域は低音域であり、中高音域の音は、正面を向いているスピーカーの音を直接聞いている。
【０００６】
本考案は、スピーカー開口部が、背面または側面にある携帯端末から発生する音の拡散を防ぎ、音質や音量の低下を改善する、携帯端末用カバーを提供することを目的とする。
【課題を解決するための手段】
【０００７】
上記課題を達成するために請求項１の考案では、携帯端末の背面にあるスピーカー開口部を携帯端末用カバーの取込口で覆い、携帯端末との間に作った空洞により、スピーカーの音を出口開口方向に誘導し、出口開口を携帯端末用カバーの正面に設けたことを特徴とする。
【０００８】
請求項２の考案では、携帯端末の側面にあるスピーカー開口部を携帯端末用カバーの取込口で覆い、携帯端末との間に作った空洞により、スピーカーの音を出口開口方向に誘導し、出口開口を携帯端末用カバーの正面に設けたことを特徴とする。
【０００９】
請求項３の考案では、携帯端末の背面にあるスピーカー開口部を携帯端末用カバーの取込口で覆い、取込口から出口開口までの間を、周りの部分より薄くすることで携帯端末との間に空洞を作り、スピーカーの音を出口開口方向に誘導し、出口開口を携帯端末用カバーの正面に設けたことを特徴とする。
【００１０】
請求項４の考案では、携帯端末の側面にあるスピーカー開口部を携帯端末用カバーの取込口で覆い、取込口から出口開口までの間を、周りの部分より薄くすることで携帯端末との間に空洞を作り、スピーカーの音を出口開口方向に誘導し、出口開口を携帯端末用カバーの正面に設けたことを特徴とする。
【考案の効果】
【００１１】
請求項１または請求項２の考案によれば、スピーカーの音は、携帯端末用カバーと携帯端末との間にできた空洞を通って、拡散せず携帯端末用カバーの正面から出るため、音量の低下を防ぐことができ、指向性の強い高音域の音も出て音質も改善できる。
【００１２】
請求項３または請求項４の考案によれば、スピーカーの音は、携帯端末用カバーと携帯端末との間にできた空洞を通って、拡散せず携帯端末用カバーの正面から出るため、音量の低下を防ぐことができ、指向性の強い高音域の音も出て音質も改善できる。さらに取込口から出口開口までの空洞部分は、携帯端末用カバーの厚さを周りの部分より薄くすることで作っているため、請求項１または請求項２よりもコストが削減できる。
【考案を実施するための最良の形態】
【００１３】
（実施形態１）
図１は、本考案の実施形態１にかかる携帯端末用カバーの斜視図である。携帯端末用カバー１の取込口２から入ったスピーカーの音は、携帯端末用カバー１の正面に設けた出口開口３から出るようになっている。
【００１４】
図２は、図１を携帯端末４に装着した状態のＡ―Ａ矢視断面図である。携帯端末４のスピーカー開口部５から出てきた音は、取込口２から携帯端末用カバー１と携帯端末４との間にできた空洞を通って、携帯端末用カバー１の正面に設けられた出口開口３から出るようになっているため、音の拡散を防止し、音量や高音域の音質の低下を改善できる。
【００１５】
（実施形態２）
図３は、本考案の実施形態２にかかる携帯端末用カバーの斜視図である。スピーカーの音は、携帯端末用カバー１の正面に設けた出口開口３から出るようになっている。
【００１６】
図４は、図３を携帯端末４に装着した状態のＢ―Ｂ矢視断面図である。携帯端末４のスピーカー開口部５から出てきた音は、取込口２から携帯端末用カバー１と携帯端末４との間にできた空洞を通って、携帯端末用カバー１の正面に設けられた出口開口３から出るようになっているため、音の拡散を防止し、音量や高音域の音質の低下を改善できる。
【００１７】
（実施形態３）
図５は、本考案の実施形態３にかかる携帯端末用カバーの斜視図である。携帯端末用カバー１の取込口２から入ったスピーカーの音は、携帯端末用カバー１の正面に設けた出口開口３から出るようになっている。
【００１８】
図６は、図５を携帯端末４に装着した状態のＣ―Ｃ矢視断面図である。携帯端末４のスピーカー開口部５から出てきた音は、取込口２から携帯端末用カバー１と携帯端末４との間にできた空洞を通って、携帯端末用カバー１の正面に設けられた出口開口３から出るようになっているため、音の拡散を防止し、音量や高音域の音質の低下を改善できる。さらに取込口２から出口開口３までの空洞部分は、携帯端末用カバー１の厚さを周りの部分より薄くすることで作られているため、実施形態１よりコストが削減できる。
【００１９】
（実施形態４）
図７は、本考案の実施形態４にかかる携帯端末用カバーの斜視図である。スピーカーの音は、携帯端末用カバー１の正面に設けた出口開口３から出るようになっている。
【００２０】
図８は、図７を携帯端末４に装着した状態のＤ―Ｄ矢視断面図である。携帯端末４のスピーカー開口部５から出てきた音は、取込口２から携帯端末用カバー１と携帯端末４との間にできた空洞を通って、携帯端末用カバー１の正面に設けられた出口開口３から出るようになっているため、音の拡散を防止し、音量や高音域の音質の低下を改善できる。さらに取込口２から出口開口３までの空洞部分は、携帯端末用カバー１の厚さを周りの部分より薄くすることで作られているため、実施形態２よりコストが削減できる。
【図面の簡単な説明】
【００２１】
【図１】本考案の実施形態１を示す斜視図
【図２】図１を携帯端末に装着した状態のＡ−Ａ矢視断面図
【図３】本考案の実施形態２を示す斜視図
【図４】図３を携帯端末に装着した状態のＢ−Ｂ矢視断面図
【図５】本考案の実施形態３を示す斜視図
【図６】図５を携帯端末に装着した状態のＣ−Ｃ矢視断面図
【図７】本考案の実施形態４を示す斜視図
【図８】図７を携帯端末に装着した状態のＤ−Ｄ矢視断面図
【図９】背面にスピーカー開口部がある従来の携帯端末用カバー背面の斜視図
【図１０】側面にスピーカー開口部がある従来の携帯端末用カバー背面の斜視図
【符号の説明】
【００２２】
１  携帯端末用カバー
２  取込口
３  出口開口
４  携帯端末
５  スピーカー開口部
【図１】
0003171000.tif 000003
【図２】
0003171000.tif 000004
【図３】
0003171000.tif 000005
【図４】
0003171000.tif 000006
【図５】
0003171000.tif 000007
【図６】
0003171000.tif 000008
【図７】
0003171000.tif 000009
【図８】
0003171000.tif 000010
【図９】
0003171000.tif 000011
【図１０】
0003171000.tif 000012
【手続補正書】
【提出日】平成23年8月9日(2011.8.9)
【手続補正１】
【補正対象書類名】実用新案登録請求の範囲
【補正対象項目名】全文
【補正方法】変更
【補正の内容】
【実用新案登録請求の範囲】
【請求項１】
外形が略四角形で所定の厚さを有する携帯端末を覆うカバーにおいて、前記携帯端末の背面を覆う背面部と、この背面部に連続し前記携帯端末の周囲側面を覆う側面部と、この側面部に連続し前記携帯端末の正面の縁を覆う縁部と、前記携帯端末と前記カバーとの間に空洞を作ることでスピーカーの音を誘導するために、前記背面部に形成され前記携帯端末の背面にあるスピーカー開口部を覆う取込口と、この取込口に連続して前記側面部に形成される空洞部と、この空洞部に連続して前記縁部に形成される出口開口と、を設けたことを特徴とする携帯端末用カバー。
【請求項２】
外形が略四角形で所定の厚さを有する携帯端末を覆うカバーにおいて、前記携帯端末の背面を覆う背面部と、この背面部に連続し前記携帯端末の周囲側面を覆う側面部と、この側面部に連続し前記携帯端末の正面の縁を覆う縁部と、前記携帯端末と前記カバーとの間に空洞を作ることでスピーカーの音を誘導するために、前記側面部に形成され前記携帯端末の側面にあるスピーカー開口部を覆う取込口と、この取込口に連続して前記縁部に形成される出口開口と、を設けたことを特徴とする携帯端末用カバー。
【請求項３】
前記取込口及び前記空洞部は、前記カバーの肉厚を、周りの部分より薄くすることで携帯端末との間に空洞を作ることを特徴とする請求項１に記載の携帯端末用カバー。
【請求項４】
前記取込口は、前記カバーの肉厚を、周りの部分より薄くすることで携帯端末との間に空洞を作ることを特徴とする請求項２に記載の携帯端末用カバー。